(57)【要約】 【課題】パチンコ島内の樋部を任意の間隔に区画して、玉貯溜タンクとしたことで玉貯溜タンクの容量が大幅にアップして保有量を確保することが出来ると共に、島端をスッキリとさせ、島端のデザイン設計の自由度を高め得るようにすることを課題とする。【解決手段】玉貯溜タンクは、表台の横幅の略２倍長又は略３倍長の長さであって、パチンコ島内の所定箇所に複数連設され、オーバーフロー樋からのパチンコ玉を最上流側に設けた玉貯溜タンク兼用樋へ排出するように構成し、下流端には、上部タンク又は下流側の玉貯溜タンクからの玉要求によって、パチンコ玉揚送装置又は下流側の次位玉貯溜タンクにその上方よりパチンコ玉を移送するリフトを備えて構成するものとした。【選択図】図１１
2006095341.tif 000002
【特許請求の範囲】
【請求項１】
パチンコ玉揚送装置の上部タンクから各表台にパチンコ玉を補給する補給樋と、上部タンク内の設定以上のパチンコ玉を玉貯溜タンクに送るオーバーフロー樋と、表台の下方にあって、パチンコ玉を貯留すると共に、下流側にパチンコ玉を送る玉貯溜タンクと、玉貯溜タンク内のパチンコ玉を揚送するパチンコ玉揚送装置と、から構成されるパチンコ島において、
前記玉貯溜タンクは、表台の横幅の略２倍長又は略３倍長の長さであって、前記パチンコ島内の所定箇所に複数連設され、前記オーバーフロー樋からのパチンコ玉を最上流側に設けた玉貯溜タンク兼用樋へ排出するように構成し、下流端には、上記上部タンク又は下流側の玉貯溜タンクからの玉要求によって、パチンコ玉揚送装置又は下流側の次位玉貯溜タンクにその上方よりパチンコ玉を移送するリフトを備えて構成することを特徴とするパチンコ島に於ける玉貯溜タンク兼用樋。
【請求項２】
パチンコ玉揚送装置の上部タンクから各表台にパチンコ玉を補給する補給樋と、上部タンク内の設定以上のパチンコ玉を玉貯溜タンクに送るオーバーフロー樋と、表台の下方にあって、パチンコ玉を貯留すると共に、下流側にパチンコ玉を送る玉貯溜タンクと、玉貯溜タンク内のパチンコ玉を揚送するパチンコ玉揚送装置と、から構成されるパチンコ島において、
前記玉貯溜タンクは、表台の横幅の略２倍長又は略３倍長の長さであって、下流端には、上記上部タンク又は下流側の玉貯溜タンクからの玉要求によって、パチンコ玉揚送装置又は下流側の次位玉貯溜タンクにその上方よりパチンコ玉を移送するリフトを備えて構成すると共に、当該玉貯溜タンクは、側方側より出し入れ自在としたことを特徴とするパチンコ島に於ける玉貯溜タンク兼用樋。
【発明の詳細な説明】
【技術分野】
【０００１】
本発明は、玉補給還元システムに係り、更に詳しくはアウト玉又は景品玉を回収する回収樋の樋部に係り、該樋部が玉貯溜タンクを兼ね備えることにより島内のパチンコ玉の保有量を、大幅にアップし得るようにした玉貯溜タンク兼用樋に関する。
【背景技術】
【０００２】
従来よりパチンコ遊技店には、パチンコ島１と呼称される表台１０を多数並設したブロックが存在し、このパチンコ島１を各種管理及び制御を行うための１単位としている。各パチンコ島１内に於ける玉循環経路中の各所、即ち補給樋３１、回収樋５、玉貯留タンク３５や、パチンコ玉揚送装置３の上部タンク３０等々の各部位（以上、図１７を参照）に於けるパチンコ玉の偏在を防止して、玉量を所定範囲内に維持するための玉補給還元システムとしては、例えば、先に本出願人が提案した特開平５−１６１７５３号がある（尚、符号については本発明と一部同じ符号を使用しているものもある）。
【０００３】
上記特開平５−１６１７５３号は、台間玉貸機を備えたパチンコ島端に景品玉計数器２を設け、パチンコ島１の上方に補給樋３１を下方に回収樋５を夫々配設し、回収樋５の玉を補給樋３１に揚送するパチンコ玉揚送装置３を設けて第１の循環経路を形成し、各表台１０に打ち込まれるパチンコ玉及び景品玉計数器２に投入された景品玉をパチンコ島１へ還元させると共に、前記パチンコ玉揚送装置３上部の上部タンク３０内に設定量以上になったパチンコ玉を排出する排出パイプ４を設け、該排出パイプ４にオーバーフロー樋４０を接続して、その端部を島端に設けた玉量調整器３６の玉貯留タンク３５内に延設し、該玉貯留タンク３５内の貯留玉を任意の制御手段９を介し前記回収樋５へ排出させるように構成して第２の循環経路を形成し、前記上部タンク３０内の玉保有量検出手段の上部タンクスイッチ３４からの検出信号に基づき、景品玉計数器２への景品玉の投入を規制し、且つ景品玉計数器２近傍に設けた表示手段２０により景品玉の投入を許容する他の島を指示して、店内での玉の偏在を防止しするようにし、総合的に各パチンコ島１の玉循環経路中の各所の玉量を適正範囲内に維持するように構成した、パチンコ遊技店の玉補給還元システムである。
【０００４】
上記の特開平５−１６１７５３号においては、パチンコ玉揚送装置３の上部タク３０内の所要箇所にオーバーフロー玉の排出パイプ４が設けられているので、回収したパチンコ玉は揚送パイプ３３内を揚送して上部タンク３０内の貯留量は排出パイプ４以上には貯留されることがない。即ち、貯留量が排出パイプ４を越えるとここから溢れ出すが、この排出パイプ４にはオーバーフロー樋４０が接続されており、オーバーフロー樋４０は島端の玉貯留タンク３５に導入されているため、このオーバーフロー樋４０を通って島端の玉量調整器３６の玉貯留タンク３５に貯留されるのである。一方、回収樋５上のパチンコ玉が十分な量であれば上部タンク３０の貯留量も十分であり、前記オーバーフロー樋４０とは別設の補給樋３１を経て各表台１０へ補給出来るため、前記玉貯留タンク３５内に貯留した貯留玉は任意の制御手段９を介して前記回収樋５へタイミングよく小出しに排出して、上部タンク３０と補給樋３１内に十分な玉量が存在するように設定している訳である。
【０００５】
また、他のパチンコ島１で獲得した景品玉が別パチンコ島１の景品玉計数器２に景品玉が持ち込まれたりすると、このパチンコ島１全体が保有するパチンコ玉が増加するため、上部タンク３０内の玉保有量検出手段がこれを感知し、この検出信号に基づいてこのパチンコ島１の景品玉計数器２への景品玉の投入を規制し、且つ景品玉計数器２近傍に設けた表示手段２０によって景品玉の投入を許容する他のパチンコ島１を指示し、店内での玉の偏在を防止しするようにし、総合的に各パチンコ島１の玉循環経路中の各所の玉量を適正範囲内に維持し得るようにしている点にも特徴がある。
【０００６】
このようにしてパチンコ島１の各所での玉量を常時適正な値に保つようにしたものであり、景品玉計数器２への景品玉の投入を規制し得る手段、及び景品玉計数器２の近傍に設けた表示手段２０の指示により景品玉の投入を許容する他のパチンコ島１を指示し得る手段と相まって、島間での景品玉の移動が生じた場合にも有効と成っている。
【０００７】
尚、上記特開平５−１６１７５３号の場合、図１７に示すように大容量のパチンコ玉を貯留させるために大型の玉貯留タンク３５が、パチンコ玉揚送装置３の下部両端ではなく、片側又は両側の島端に形成された玉量調整器３６内に設けられている。よって、玉量調整器３６が仮に故障しても島端に位置した表台１０のみ営業を停止するだけで修理調整作業が出来るため、遊技客に迷惑を掛ける心配が最小限で済む特徴を有している。
【特許文献１】特開平５−１６１７５３号公報
【発明の開示】
【発明が解決しようとする課題】
【０００８】
ところで、上記した特開平５−１６１７５３号に代表されるように、一つのパチンコ島内での構成に於いて、特に該パチンコ島の各所での玉量を常時適正な値に保つ効果は十分に評価される。しかしながら、所謂フィーバーが幾つも重なるなどして急激に出玉（景品玉）数が増加すると、上部タンクや補給樋にある玉量が不足するという事態が発生する。この玉補給還元システムは、他のパチンコ島から独立している以上、パチンコ島で必要とされる玉量をある程度自給するためには、パチンコ島は相当量のパチンコ玉を保有していなくては成らない。この相当量のパチンコ玉の備蓄は、島端の玉量調整器内に設けられている玉貯留タンクが担っているため、該玉貯留タンクの容量は極めて大きなものと成らざるを得ず、該玉貯留タンクのスーペス分が島端から外方に突出しているため通行の邪魔となっていた。
【０００９】
上記した大型の玉貯溜タンクであっても容量には限界があり、更に玉貯留タンクのスーペス分が島端から外方に突出して設置されているため、パチンコ島の美感を損ねてしまうと共に、島端のデザイン設計の自由が限定されてしまう問題点を有していた。
【００１０】
また、島端に玉貯留タンクを設置せず、パチンコ島内のパチンコ玉揚送装置の下部両端に玉貯留タンクを設けて各パチンコ島の保有量を平均化にする他の玉補給還元システム（特公昭６２−２４１１０号公報）においては、パチンコ島の島幅から成る大きさの玉貯留タンクなので多量には貯留することが出来ず、玉不足が頻繁に発生していた。
【００１１】
また、近時においては、隣接したパチンコ島の上部タンクの相互にバランス樋を設けて、各パチンコ島の保有量の平均化を保つようにしたもの、例えば特開平６−３９１３２号公報等が提案されているが、バランス樋が美観を損ねたり、パチンコ玉の重量によってバランス樋が落下する恐れが指摘されていた。
【００１２】
そこで、本発明はパチンコ島内の樋部を任意の間隔に区画（ユニット化）して、玉貯溜タンクとしたことで、該玉貯溜タンクの容量が大幅にアップして保有量を確保することが出来ると共に、島端をスッキリとさせ、島端のデザイン設計の自由度を高め得るようにすることを課題とする。
【００１３】
上記課題を解決するに当たり当発明者は、樋部にある空間を利用して玉貯溜タンクを島端から樋部に移設可能であり、而も樋部を大容量の玉貯溜タンクとして兼用出来、必要な玉貯溜容量を確保し得るという知見を得た。即ち、上記課題は次のように構成することによって達成される。
【課題を解決するための手段】
【００１４】
請求項１記載の発明は、パチンコ玉揚送装置の上部タンクから各表台にパチンコ玉を補給する補給樋と、上部タンク内の設定以上のパチンコ玉を玉貯溜タンクに送るオーバーフロー樋と、表台の下方にあって、パチンコ玉を貯留すると共に、下流側にパチンコ玉を送る玉貯溜タンクと、玉貯溜タンク内のパチンコ玉を揚送するパチンコ玉揚送装置と、から構成されるパチンコ島において、前記玉貯溜タンクは、表台の横幅の略２倍長又は略３倍長の長さであって、前記パチンコ島内の所定箇所に複数連設され、前記オーバーフロー樋からのパチンコ玉を最上流側に設けた玉貯溜タンク兼用樋へ排出するように構成し、下流端には、上記上部タンク又は下流側の玉貯溜タンクからの玉要求によって、パチンコ玉揚送装置又は下流側の次位玉貯溜タンクにその上方よりパチンコ玉を移送するリフトを備えて構成するものである。
【００１５】
請求項２記載の発明は、パチンコ玉揚送装置の上部タンクから各表台にパチンコ玉を補給する補給樋と、上部タンク内の設定以上のパチンコ玉を玉貯溜タンクに送るオーバーフロー樋と、表台の下方にあって、パチンコ玉を貯留すると共に、下流側にパチンコ玉を送る玉貯溜タンクと、玉貯溜タンク内のパチンコ玉を揚送するパチンコ玉揚送装置と、から構成されるパチンコ島において、前記玉貯溜タンクは、表台の横幅の略２倍長又は略３倍長の長さであって、下流端には、上記上部タンク又は下流側の玉貯溜タンクからの玉要求によって、パチンコ玉揚送装置又は下流側の次位玉貯溜タンクにその上方よりパチンコ玉を移送するリフトを備えて構成すると共に、当該玉貯溜タンクは、側方側より出し入れ自在としたものである。
【発明の効果】
【００１６】
請求項１の発明によれば、玉貯溜タンクは表台の横幅の略２倍長又は略３倍長の長さであって、下流端部にパチンコ玉を下流へ送るリフトを設けた構成とし、玉貯溜タンクを島内の所定箇所にセットし連設している。このことにより、島全体が必要とする玉貯溜タンク兼用樋が構成されるものであるため、大容量の玉貯溜タンク兼用樋として作用し、玉貯溜タンクの容量を十分に大きく確保することが出来、従来に比して飛躍的に玉貯溜量がアップすると共に、玉貯溜タンクが島端から無くなったため、島端をスッキリとさせ、且つ島端のデザイン設計の自由度を高めることが出来るように成る。
【００１７】
請求項２の発明によれば、玉貯溜タンクは表台の横幅の略２倍長又は略３倍長の長さであって、下流端部にパチンコ玉を下流へ送るリフトを設けた構成とし、玉貯溜タンクを側方側より出し入れ自在としているので、故障時等には取り外して交換することができる。
【発明を実施するための最良の形態】
【００１８】
以下、本発明の実施例の形態を図面に基づいて説明するが、本発明の形態はこれ等の実施例の形態にのみ限定されるものではない。尚、各実施例に於けるパチンコ玉を適宜下流に送る動作タイミングに付いては、全ての実施例の最後で一括して説明する。
【実施例１】
【００１９】
図１乃至図３は、従来の玉補給システムにおいて島端に設置していた大型の玉貯留タンク３５を取り除き、オーバーフロー樋４０を島端にて直接回収樋５に接続すると共に、該回収樋５の任意の間隔をおいた三箇所に開閉装置５０（５０ａ，５０ｂ，５０ｃ）を取り付けたもので三つの玉貯溜タンクが島内に設置されていることと同じである。即ち、従来の回収樋５を本実施例では玉貯溜タンク兼用樋とし、下流端部の各開閉装置５０のモーター５７ａ，５７ｂ，５７ｃの作動によって順次下流側へと供給を可能とするようにしたものである。
【００２０】
回収樋５（樋部）は、一般的にパイプ形状や断面コ字形に形成されたものがあり、何れも底部とその両側の壁部とから成ると見做し得るが、本実施例に於ける回収樋５は平面状の底板５００と、これを両側から挟む壁板５０１とから構成されており、パチンコ玉揚送装置３に向けて転動していくように下り勾配と成るように傾斜状態で設けられる。よって、各表台１０から排出されるアウト玉は裏側のアウト玉タンク１１のアウト玉パイプ１１ａより底板５００上に落下して回収樋５によって回収される。
【００２１】
開閉装置５０は、図２に示すように開口部５０２を有する着脱枠５１に、開口部５０２を開閉自在にする開閉シャッター５３がモーター５７によって上下動自在に設けられて成る。更に詳しくは、着脱枠５１は回収樋５を堰き止め得る方形状を呈し、その上縁部に左右に突出して回収樋５に掛止し得る掛止部５０３が設けられている。開閉シャッター５３は、着脱枠５１上部の挿入口５２より着脱枠５１内に挿入され、開閉シャッター５３の背面には横方向のガイド溝５５が切欠されたガイド板５４が後方に突設されている。前記着脱枠５１の背面にはモーター５７を収納する筐体５９が取り付けられており、モーター５７の回転軸にはカム５８が固定されており、該カム５８の偏心位置に取り付けられたピン５６が前記ガイド板５４のガイド溝５５に挿通されている。
【００２２】
尚、開閉装置５０は、これが設置される位置の回収樋５の深さに合わせ得るように、掛止部５０３の下面にユニット化された着脱自在の袴５０４を履かせている。図１に於いては、左端の開閉装置５０には袴５０４を履かせず、中央の開閉装置５０には一個、また右端の開閉装置５０には二個の袴５０４を履かせて、高さ調節を行なっている例が表されている。この袴５０４は、回収樋５のどの深さの部位にも開閉装置５０を設置することが出来ることに成る。或いは袴５０４はユニット化せず、開閉装置５０の設置時に適当な高さ寸法のものを加工して取り付けることも可能である。
【００２３】
尚、本実施例を適用したパチンコ島１は図１で表わされる通り、パチンコ島１の中央付近にパチンコ玉揚送装置３が立設され、該パチンコ玉揚送装置３の上方には上部タンク３０が設けられている。該上部タンク３０の底部から島端に向けて補給樋３１が導出されており、該補給樋３１から表台１０に向けてパチンコ玉補給用の補給パイプ３２が接続されている。一方、図３で示すように上部タンク３０の内部には、開口部分を上に向けて排出パイプ４が設けられており、該排出パイプ４の下部よりオーバーフロー樋４０が島端に向け導出されており、島端で下方に向きを変えて前記回収樋５に接続されている。尚、ここではオーバーフロー樋４０を島端に向けた説明としたが、パチンコ玉揚送装置３の近傍の玉貯溜タンクに導出するようにしてもよい。
【００２４】
回収樋５は、各表台１０のアウト玉タンク１１のアウト玉パイプ１１ａから排出されたアウト玉と景品玉計数器２から投入された景品玉が流れ込むように成っている。該回収樋５の最下流側はパチンコ玉揚送装置３の下部に接続されている。該パチンコ玉揚送装置３について説明する。符号３３は揚送パイプであり、パチンコ玉はこの内部の研磨粒にて混合攪拌して研磨されつつ上部タンク３０へ揚送され、上部タンク３０内の選別装置（図示せず）でパチンコ玉と研磨粒とに選別される。該上部タンク３０内の上下には上部タンクスイッチ３４が取り付けられていて、この内３４ｘは下側の下限スイッチ、３４ｙは上側の上限スイッチである。この上部タンク３０内には、常時、上限スイッチ３４ｙの位置まで貯溜するようにしていて、パチンコ玉Ｐの貯留上面が下限スイッチ３４ｘより下に成るとこれを検知して、後述する貯溜タンク５Ａよりパチンコ玉を流下させる機構に信号を送る。
【００２５】
パチンコ島１の島端には、景品玉計数器２及び表示装置２０が設けられているが、従来の島端に見られた大型の玉貯留タンク（図１７の３５）は本実施例には存在していない（図１）。投入された景品玉は景品玉計数器２で計数し、計数結果はカード又はレシート等で発行される。尚、景品玉の排出口は前記回収樋５に接続されている。また、景品玉計数器２にはパチンコ島１が保有するパチンコ玉の量が所定量を越えた場合に、景品玉の投入を禁止するようにするためのシャッターが自動的に閉じるように設けられている（図示せず）。この際、景品玉の投入を許容する他のパチンコ島１を指示するものが前記表示装置２０である。また、所定量より減った場合はシャッターは自動的に開放する。
【００２６】
本第１実施例において、開閉装置５０が取り付けられた回収樋５は、既存のパチンコ島１の回収樋５をそのまま利用して玉貯溜タンク兼用樋として構成することが出来る最大の特徴である。また、図１はパチンコ島１の右側半分を図示したもので、開閉装置５０ａ，５０ｂ，５０ｃが計三箇所に設けた例としているが、これはパチンコ島１の長さ（島長という）に応じて適宜増減すればよい。回収樋５の底板５００がパチンコ玉揚送装置３に向けて、下り勾配と成るように傾斜状態で取り付けられているため、パチンコ玉は自重で回収樋５の中を流下するが、回収樋５の途中途中に設けられた各開閉装置５０ａ，５０ｂ，５０ｃによって堰き止められて、玉貯溜タンク５Ａ，５Ｂ，５Ｃが実現されている。即ち、この玉貯溜タンク５Ａ，５Ｂ，５Ｃの容量は、開閉装置５０ａ，５０ｂ，５０ｃを回収樋５のどの位置に置くかで決定されるが、開閉装置５０は着脱枠５１により着脱自在であり、着脱枠５１は回収樋５に対し、ネジ止め等による仮固定や、クギ打ち等による完全固定により適宜位置に取り付けられる。６３ａ，ｂ，ｃは玉貯溜タンクＡ，Ｂ，Ｃ内の貯溜量を検出するセンサースイッチで、ここでは下段側に１個ずつ取り付けられている。
【００２７】
次に、上記した開閉装置５０の構造について詳しく説明する。開閉装置５０は、通常は開閉シャッター５３が下りて着脱枠５１の開口部５０２が閉じられた状態と成しているが、上部タンクスイッチ３４の要求検知信号が制御回路に入力されると、該制御回路（図示せず）がモーター５７を回転させる。すると、カム５８が回転し、カム５８にはピン５６が偏心状態で取り付けられているため、ピン５６は円弧を描くように移動する。この時、ピン５６が開閉シャッター５３のガイド溝５５に挿通されているため、ピン５６の移動に伴ない開閉シャッター５３が上方に持ち上げられて、着脱枠５１の開口部５０２が開放され、この結果、これまで堰き止めらていたパチンコ玉が開閉装置５０を通過して、傾斜状態の回収樋５を更に下流側へと流下する。尚、開閉装の量を制限する役目をも担っている。
【００２８】
このように本実施例では、回収樋５と各開閉装置５０ａ，ｂ，ｃとで玉貯溜タンク兼用樋を構成しており、従来の島端の玉貯留タンク３５に比して貯溜量が著しく増大している。つまり、回収樋５にある空間を利用することによって、大型の玉貯留タンク３５を島端に設ける必要が無くなる。この結果、本発明によって島内のパチンコ玉の保有量を既存島構成で大幅にアップしたにも係わらず島端がスッキリとし、島端のデザイン設計の自由度も高まる。
【００２９】
尚、本実施例の玉貯溜タンク兼用樋は、回収樋５上に構成した説明としたが、上部の補給樋３１又はオーバーフロー樋４０を任意の間隔に区画して開閉装置５０を備えた構成とすれば、更に島内の玉貯溜量が増すことに成る。
【実施例２】
【００３０】
次に、図４乃至図６は、第２実施例の形態を表し、本実施例の玉貯溜タンク兼用樋は、第１実施例のものをユニット化した点が特徴である。即ち、新規にパチンコ島１を形成する場合、予めユニット化された玉貯溜タンク兼用樋ユニットを幾つか組み合わせればどんな島長のパチンコ島１でも形成することが出来る。例えば、本実施例の玉貯溜タンク兼用樋ユニット６Ａは表台１０の略２台分とした長さの直方体とし、また、玉貯溜タンク兼用樋ユニット６Ｂは表台１０の略３台分の長さから成る直方体とした。この二種類の長さの玉貯溜タンク兼用樋ユニット６Ａ，６Ｂを適宜に組み合わせることによって、ホールスペースに応じた長さのパチンコ島１を構成し得るようにすることが本実施例の目的である。尚、６Ｃは玉貯溜タンク兼用樋ユニット６Ｂと同じものである。
【００３１】
前記玉貯溜タンク兼用樋ユニット６Ａ，６Ｂは、各々直方体形状を呈し、上面側にアウト玉導入口６２が、開口されていて表台１０から排出されたアウト玉はアウト玉タンク１１のアウト玉排出パイプ１１ａから各玉貯溜タンク兼用樋ユニット６Ａ、６Ｂ内に落下する。該アウト玉排出パイプ１１ａは、玉貯溜タンク兼用樋ユニット６Ａ，６Ｂに届く長さに成している。直方体形状の上流部の前面部下方に導入口６００が、また、下流部の後面部下方には排出口６０１がそれぞれ開口して接続されている。該排出口６０１には第１実施例では開閉装置５０が取り付けられるが、違う点は開閉シャッター５３を上下動自在に受ける挿入枠６４が排出口６０１の両側に設けられている点と、挿入枠６４の下端部に排出トレー６１が取り付けられている点とに存する。符号６３は玉貯溜タンク兼用樋ユニット６Ａ，６Ｂの側壁内部に固定されたセンサースイッチであり、ここでは上段側は６３ａ２，６３ｂ２，６３ｃ２とし下段側を６３ａ１，６３ｂ１，６３ｃ１として上下に取り付けられている。玉貯溜タンク兼用樋ユニット６Ａ，６Ｂの底板は実質的な回収樋６である。符号４１はオーバーフロー樋４０及び景品玉計数器２からのパチンコ玉を玉貯溜タンク兼用樋ユニット６Ａ，６Ｂへ排出するための排出口である。
【００３２】
ところで、上述した第１実施例ではパチンコ玉が開閉装置の方向に付勢されるように、回収樋５が傾斜している必要があった。回収樋５が傾斜していればパチンコ玉は自重で自然転動出来るからである。しかし、本実施例の玉貯溜タンク兼用樋ユニット６Ａ，６Ｂの回収樋６は水平状としたため自重での自然転動は出来ないが、逆に傾斜の部分を少なくしたため多くのパチンコ玉を保有することが出来る特徴を有している。玉貯溜タンク兼用樋ユニット６Ａ，６Ｂを設置するに当たっては、パチンコ玉揚送装置３に向けて下り勾配と成るように傾斜状にしなければ成らない。そこで、本実施例は６０ａ，６０ｂ，６０ｃの袴を履かせている。袴の種類は、表台１０の略３台分の長さと表台１０の略２台分の長さとの三種類の長さを有するものであり、各々に付いて数種類の高さのものが用意され、各々略同一勾配角を有している。また、隣り合う玉貯溜タンク兼用樋ユニット６Ａ，６Ｂの間に隙間が空いている場合には、適宜の袴６０を挿着して、底面部が連続する回収樋６が形成されるようにする。尚、玉貯溜タンク兼用樋ユニット６Ｂの排出口６０１に取り付けた排出トレー６１が次段の玉貯溜タンク兼用樋ユニット６Ａの導入口６００から中に入るように成っているため、玉貯溜タンク兼用樋ユニット６Ａ，６Ｂの間に多少の隙間が空いていても、ここからパチンコ玉が外に零れ落ちるようなことはない（図４）。
【００３３】
また、第１実施例と同様パチンコ玉揚送装置３の上部タンク３０には上部タンクスイッチ３４が取り付けられており、玉貯溜タンク兼用樋ユニット６Ａ，６Ｂの玉量検出するセンサースイッチ６３ａ，６３ｂ，６３ｃと連係して、上部タンク３０内のパチンコ玉Ｐが不足しないように、且つ各玉貯溜タンク兼用樋ユニット６Ａ，６Ｂ内のパチンコ玉Ｐが適正配分と成るように制御するための信号を発している。
【００３４】
そこで、新規のパチンコ島１を施工する場合について説明する。例えば、パチンコ島の片側に１５台の表台１０を並設するとした場合、中央部に設置されたパチンコ玉揚送装置３を挟んで片側８台、他側７台という振り分けに成るが、片側８台が設置可能な部位には表台１０の略２台分の長さを有する玉貯溜タンク兼用樋ユニット６Ａを１台と、表台１０の略３台分の長さを有する玉貯溜タンク兼用樋ユニット６Ｂの２台を組み合わせればよく、他側７台の時は表台１０の略２台分の長さを有する玉貯溜タンク兼用樋ユニット６Ａを２台と、表台１０の略３台分の長さを有する玉貯溜タンク兼用樋ユニット６Ｂの１台を組み合わせれば完成する。この結果、玉貯溜タンク兼用樋ユニット６Ａ，６Ｂをパチンコ島１内の所定箇所にセットし連設することによりパチンコ島１全体が必要とする玉貯溜タンク兼用樋が構成されるので、樋（兼玉貯溜タンク）を工場で予め製造しておくことが出来、部品の発注や現場での取り付け作業が容易なものと成り、専門の施工技術者を多人数揃える必要もなく、短期間で施工可能と成っている。また修理の際も、該当する箇所のユニットを取り外して交換するだけであるから、ホールの営業に支障を来たすよう問題が解消されている。
【実施例３】
【００３５】
次に、図７は本発明の第３実施例の形態を表し、上述した第２実施例では玉貯溜タンク兼用樋ユニット６Ａ，６Ｂの回収樋６部分は水平状に形成されているため、玉貯溜タンク兼用樋ユニット６Ａ，６Ｂを設置するにあたっては、パチンコ玉揚送装置３に向けて下り勾配と成るように傾斜状にしなければ成らず、６０ａ，６０ｂ，６０ｃの袴を用いていた。
【００３６】
これに対して本実施例では、玉貯溜タンク兼用樋ユニット６５Ａ，６５Ｂの底面部に、全長に亘って無端ベルト式回収樋６９を設置したため第２実施例での袴が必要なくなり、より多くパチンコ玉を保有することが出来、搬送スピードを早くすれば下流側へ早く搬送すること出来る点に特徴がある。無端ベルト式回収樋６９は、玉貯溜タンク兼用樋ユニット６５Ａ，６５Ｂ下流に設けられたモーター６７で駆動される駆動ローラー６６と、上流に設けられた従動ローラー６８との間に掛け渡されていて無端ベルトの表面にはパチンコ玉を送るための凸部が設けられている。尚、６５Ｃは玉貯溜タンク兼用樋ユニット６５Ｂと同じものである。
【００３７】
そして、モーター６７を回転させると駆動ローラー６６が回転し、該駆動ローラー６６と従動ローラー６８との間に掛け渡された無端ベルトの表面の凸部によって貯溜しているパチンコ玉が下流に向けて移動する。ここではセンサースイッチを上段側の６３ａ２，６３ｂ２，６３ｃ２のみとした。
【００３８】
この結果、玉貯溜タンク兼用樋ユニット６５Ａ，６５Ｂを傾斜状に設置せずとも、無端ベルト式回収樋６９がパチンコ玉を滞留させることなく下流へ移送するので、開閉装置５０がパチンコ玉を、必要に応じて更に下流側の玉貯溜タンク兼用樋ユニット６５Ａ，６５Ｂへと移動させることが出来る。
【実施例４】
【００３９】
次に、図８乃至図１０は、第４実施例の形態を表し、上述した第１乃至第３実施例ではパチンコ玉を適宜下流へ送る移送可能な状態にするものとして開閉シャッター５３を具えた開閉装置５０が用いられていた。これに対し、本実施例ではリフトを用いた構成としている。尚、本実施例はユニット化されていない例であり、ユニット化したものは次の第５実施例で説明する。また、底板５００は傾斜状に設けられている。ここではセンサースイッチを下段側とし６３ｃ１とした。
【００４０】
第４実施例は、回収樋５の適宜箇所に堰としての開閉装置７０を取り付けて、玉貯溜タンク５Ａを構成したものである。即ち、パチンコ島１には、玉貯溜タンク兼用樋として、開閉装置７０が取り付けられた回収樋５が設けられる。また、本実施例に於ける回収樋５は傾斜した平面状の底板５００と、これを両側から挟む壁板５０１とから構成されており、パチンコ玉揚送装置３に向けて下り勾配と成るように傾斜状態で設けられる。
【００４１】
次に、上記した開閉装置７０の構造について説明する。開閉装置７０は図９、図１０に示すように構成されている。即ち、モーター７５に伝達ベルト７６を介して接続された駆動ローラー７４と、その上方の従動ローラー７７との間に無端ベルト７８を垂直に掛け渡し、該無端ベルト７８にテンションローラー７９を接触させている。一方、前記無端ベルト７８より後方に、無端ベルト７８に近接して転動壁７１を立設し、該転動壁７１の表面にフェルト７２を展着している。当該フェルト７２面と無端ベルト７８面との間隔は、パチンコ玉Ｐの直径より幾分狭い距離としている。符号７３はパチンコ玉Ｐの排出口である。
【００４２】
さて、回収樋５上をパチンコ玉揚送装置３の方向に転動して行くパチンコ玉Ｐは開閉装置７０で堰き止められているが、必要に応じてモーター７５が作動されると、前記転動壁７１のフェルト７２面に沿った側の無端ベルト７８が上昇を開始する。すると、開閉装置７０の下部に滞留しているパチンコ玉Ｐが回転する無端ベルト７８に巻き込まれ、転動壁７１のフェルト７２と無端ベルト７８との間に挟持されて上昇し、上端部の排出口７３から下流側に向けて排出される。
【実施例５】
【００４３】
次に、図１１乃至図１３は、第５実施例（本発明）形態を表し、本実施例は、上述した第４実施例をユニット化して成るものである。ユニット化する目的は上述の第２及び第３実施例と同一である。但し、底板の実質的な回収樋７は下記理由により水平状に形成されている。
【００４４】
該玉貯溜タンク兼用樋ユニット７Ａは、表台１０の略３台分の長さを有した直方体とし、玉貯溜タンク兼用樋ユニット７Ｂは、表台１０の略２台分の長さの直方体から形成されていて、故障時等が発生した場合は側方側（矢印側へ）より引き出せるように成している。そして、この二種類の長さの玉貯溜タンク兼用樋ユニット７Ａ，７Ｂを適宜に組み合わせることによって異なる島長であってもホールスペースに応じたパチンコ島１を構成することが出来る。
【００４５】
前記玉貯溜タンク兼用樋ユニット７Ａ，７Ｂは、各々直方体形状を呈し、上流の上面側にアウト玉導入口７００が、また下流の上面側にもアウト玉導入口７０１が前後に開口されていて、表台１０から排出されたアウト玉はアウト玉タンク１１のアウト玉排出パイプ１１ａから、アウト玉導入口７００、７０１より各玉貯溜タンク兼用樋ユニット７Ａ、７Ｂ内に落下する。該アウト玉排出パイプ１１ａは、玉貯溜タンク兼用樋ユニット７Ａ、７Ｂに届く長さと成している。当該アウト玉導入口７０１には第４実施例の開閉装置７０ａ，ｂ，ｃが取り付けられている。また符号６３ａ，６３ｂ，６３ｃは玉貯溜タンク兼用樋ユニット７Ａ，７Ｂの側壁内部に固定され玉量を検出するセンサースイッチであり、ここでは上下に取り付けられている玉貯溜タンク兼用樋ユニット７Ａ，７Ｂの底板は実質的な回収樋７と成っている。尚、符号４１はオーバーフロー樋４０及び景品玉計数器２からのパチンコ玉を玉貯溜タンク兼用樋ユニット７Ａ，７Ｂへ排出するための排出口である。尚、７Ｃは玉貯溜タンク兼用樋ユニット７Ｂと同じものである。
【００４６】
本実施例の玉貯溜タンク兼用樋ユニット７Ａ，７Ｂの回収樋７は水平状に形成されている。上述した第１乃至第３実施例ではパチンコ玉を適宜下流へ送る移送可能な状態にするものとして開閉シャッター５３を具えた開閉装置５０が用いられていたが、開閉装置５０の開閉シャッター５３の開放のみでパチンコ玉を下流へ送るためには、パチンコ玉を常時下流に付勢しておく必要がある。これに対し本実施例では、回収樋７が水平状であっても、パチンコ玉は自重で玉貯溜タンク兼用樋ユニット７Ａ，７Ｂ内に分散平均化されて滞留することと、開閉装置７０が強制的にパチンコ玉を下流に送る作用があることによって、回収樋７を水平状にしておくことが出来る。尚、符号７３はパチンコ玉の排出口であり、次段のユニットのアウト玉導入口７００上に位置すべきものである。
【００４７】
図１２は、表台１０の略３台分の長さを有する玉貯溜タンク兼用樋ユニット７Ａを表し、また、図１３は表台１０の略２台分の長さを有する玉貯溜タンク兼用樋ユニット７Ｂを表す。そして、当該玉貯溜タンク兼用樋ユニット７Ａ，７Ｂをパチンコ島１内の所定箇所にセットし適宜連設することによってパチンコ島１全体が必要とする玉貯溜タンク兼用樋が構成される。
【実施例６】
【００４８】
次に、図１４乃及び図１５は、第６実施例の形態を表し、本実施例の玉貯溜タンク兼用樋ユニット８Ａ，８Ｂは、その底板の実質的な回収樋８が傾斜状に形成されている点に特徴を有する。
【００４９】
上述した第５実施例のように、玉貯溜タンク兼用樋ユニット７Ａ，７Ｂの回収樋７を水平に設けても何等問題はないが、パチンコ玉の下流への移動速度を速めるためにはパチンコ玉を下流に付勢することが好ましいため、本実施例ではこのような構成を採用している。
【００５０】
図１４では、表台１０の略３台分の長さを有する玉貯溜タンク兼用樋ユニット８Ａのみを配置してパチンコ島１を構成した状態を表しているが、図１５では表台１０の略３台分の長さを有する玉貯溜タンク兼用樋ユニット８Ａと表台１０の略２台分の長さを有する玉貯溜タンク兼用樋ユニット８Ｂとを組み合わせることによってパチンコ島１を構成した状態を表している。
【００５１】
ところで、上述した各実施例に於ける、パチンコ玉を適宜下流に移送を可能とする開閉シャッター５３の動作タイミングに付いては、例えばパチンコ島１の片側での玉貯溜タンクの設置数が一個の場合には、上部タンク３０のパチンコ玉貯溜量が設定値以下に減少した時に開閉シャッター５３を動作させ、上部タンク３０のパチンコ玉貯溜量が回復したら、開閉シャッター５３の動作を停止させる、というものでよいが、パチンコ島１の片側での玉貯溜タンクの設置数が二個以上である場合には、多少複雑な制御が必要と成る。この場合に付いては、図４の第２実施例を用いて一括して説明する。この説明のために図１６の動作フローチャートを用いる。
【００５２】
図１の上部タンク３０内には、下限スイッチ３４ｘ及び上限スイッチ３４ｙが取り付けられている。この両者の上部タンクスイッチ３４のＯＮ状態又はＯＦＦ状態によって、図４のモーター５７ａがＯＮ，ＯＦＦされる。上部タンクスイッチ３４がＯＮ状態であるというのは、上部タンク３０内のパチンコ玉がこの位置まで入っているということである。尚、下限スイッチ３４ｘの位置は下限界を検出し、上限スイッチ３４ｙの位置は上限界を検出する。
【００５３】
上部タンク３０内のパチンコ玉貯溜量が下限を越え、上部タンク３０の下限スイッチ３４ｘがＯＦＦの状態に成ると、最下流の玉貯溜タンク兼用樋ユニット６Ａに設けられた開閉装置５０ａを開放すべくモーター５７ａが回転し、開閉シャッター５３を上方向にスライドさせる（この状態をモーターの連続運転という）。この結果、玉貯溜タンク兼用樋ユニット６Ａのパチンコ玉がパチンコ玉揚送装置３へと送られるため、玉貯留タンク兼用樋ユニット６Ａ内のパチンコ玉貯溜量が減少することに成る。
【００５４】
この玉貯溜タンク兼用樋ユニット６Ａ内のパチンコ玉貯溜量が下限を越えて、センサースイッチ６３ａ１がＯＦＦの状態に成ると、中段の玉貯溜タンク兼用樋ユニット６Ｂのモーター５７ｂを回転させる。すると、玉貯溜タンク兼用樋ユニット６Ｂ内のパチンコ玉が玉貯溜タンク兼用樋ユニット６Ａへと送られるため、玉貯溜タンク兼用樋ユニット６Ｂ内のパチンコ玉貯溜量が減少することになる。
【００５５】
この玉貯溜タンク兼用樋ユニット６Ｂ内のパチンコ玉貯溜量が下限を越えて、センサースイッチ６３ｂ１がＯＦＦの状態に成ると、今度は上段の玉貯溜タンク兼用樋ユニット６Ｃのモーター５７ｃを回転させる。すると、玉貯溜タンク兼用樋ユニット６Ｃ内のパチンコ玉が玉貯溜タンク兼用樋ユニット６Ｂへと送られるため、玉貯溜タンク兼用樋ユニット６Ｃ内のパチンコ玉貯溜量が減少する。
【００５６】
玉貯溜タンク兼用樋ユニット６Ｃ内のパチンコ玉が満杯の状態であれば、景品玉計数器２の投入口（図示せず）が閉じられており、表示装置２０には他の島の景品玉計数器を利用して欲しい旨の表示が為されている。これは、玉貯溜タンク兼用樋ユニット６Ｃ内のパチンコ玉が満杯で、これ以上受け付けられないからである。しかし、玉貯溜タンク兼用樋ユニット６Ｃに余裕があれば、景品玉計数器２の投入口が開放され、表示装置２０には投入許可の案内が表示されることに成る。
【００５７】
そこで、玉貯溜タンク兼用樋ユニット６Ｃ内のパチンコ玉が玉貯溜タンク兼用樋ユニット６Ｂへ送られた結果、玉貯溜タンク兼用樋ユニット６Ｃ内のパチンコ玉貯溜量が下限を越えて、センサースイッチ６３ｃ１がＯＦＦの状態に成ると、表示装置２０には投入許可の案内が表示される。遊技客が景品玉を景品玉計数器２に投入すると、景品玉はここで計数された後、玉貯溜タンク兼用樋ユニット６Ｃに向けて排出される。
【００５８】
上記一連の動作の結果、上部タンク３０内のパチンコ玉貯溜量が増加し、上部タンク３０の下限スイッチ３４ｘがＯＮの状態に成ると、最下流の玉貯溜タンク兼用樋ユニット６Ａのモーター５７ａは駆動されない。しかし、上部タンク３０内のパチンコ玉貯溜量が、上限スイッチ３４ｙより下の位置にあって、上限スイッチ３４ｙがＯＦＦの状態であれば、玉貯溜タンク兼用樋ユニット６Ａのモーター５７ａは定期的に、一定時間だけ運転される（上記連続運転に対して周期運転という）。また、上部タンク３０内のパチンコ玉貯溜量が上限スイッチ３４ｙより上の位置にあり、上限スイッチ３４ｙがＯＮの状態であれば、玉貯溜タンク兼用樋ユニット６Ａのモーター５７ａは停止させられたままと成り、この結果、上部タンク３０内のパチンコ玉貯溜量がこれ以上増加することはない。
【００５９】
玉貯溜タンク兼用樋ユニット６Ｂのモーター５７ｂや、玉貯溜タンク兼用樋ユニット６Ｃのモーター５７ｃに関しても、センサースイッチ６３ａ２やセンサースイッチ６３ｂ２のＯＮ，ＯＦＦ状態を監視することで、上記同様の動作を行なわせている。尚、玉貯溜タンク兼用樋ユニット６Ｃ内のセンサースイッチ６３ｃ２に関しては、これがＯＦＦの状態にある限り、表示装置２０には投入許可の案内が表示され続ける。
【００６０】
上述したパチンコ玉を適宜下流に送る動作タイミングに付いては、種パターンが考えられる。また、センサースイッチの取付位置や取付個数によっても各種パターンが考えられる。このセンサースイッチの取付位置に関しては、例えば図１１で図示したように、玉貯溜タンク兼用樋ユニット７Ｂ，７Ｃに於いて、センサースイッチ６３ｂ１〜６３ｂ４、６３ｃ１〜６３ｃ４の４箇所に設ける構成も可能である。このようにすると、更に細かい制御を行なうことが出来るように成る。
【００６１】
さて、本発明は上述した実施例にのみ限定されないから、例えばパチンコ玉を適宜下流へ送る移送可能な状態にする開閉シャッターの場合には、開閉装置は観音開きの扉や、カメラシャッターのような中心部から外周に向かって開放される扉の構造を採用してもよく、また、リフトの場合にはスプロケットやその他の構造が任意に採用可能であり、どのような構成を採用するかは自由である。また、樋部の構造も任意である。また、本発明の玉貯溜タンク兼用樋は、元々の回収樋上に構成する以外に、他の樋部分、例えば補給樋やオーバーフロー樋上に構成することも可能である。パチンコ島の全長が比較的長い場合などでは樋部の傾斜角が小さく成り、パチンコ玉が滞溜してしまうこともあり得るため、この場合には樋部の底部等に適宜、滞溜防止装置を取り付けることも好ましい。滞溜防止装置としては、バイブレータによる振動装置、スクリューによる撹拌装置等がある。
【図面の簡単な説明】
【００６２】
【図１】本発明の第１実施例の形態を示す説明図
【図２】本発明の第１実施例の開閉装置を示す斜視図
【図３】本発明のパチンコ玉揚送装置の全体正面図
【図４】本発明の第２実施例の形態を示す説明図
【図５】本発明の第２実施例の部分断面図
【図６】本発明の第２実施例の玉貯溜タンク兼用樋ユニットの部分斜視図
【図７】本発明の第３実施例の形態を示す説明図
【図８】本発明の第４実施例の形態を示す説明図
【図９】本発明の第４実施例の開閉装置の平面図
【図１０】本発明の第４実施例の開閉装置の側面図
【図１１】本発明の第５実施例の形態を示す説明図
【図１２】本発明の第５実施例の玉貯溜タンク兼用樋ユニットの斜視図
【図１３】本発明の第５実施例の玉貯溜タンク兼用樋ユニットの斜視図
【図１４】本発明の第６実施例の形態を示す説明図
【図１５】本発明の第６実施例の配置説明図
【図１６】本発明の動作を示すフローチャート図
【図１７】従来例図
【符号の説明】
【００６３】
３      パチンコ玉揚送装置
３０    上部タンク
３４ｘ  センサースイッチ
３４ｙ  センサースイッチ
４０    オーバーフロー樋
５      回収樋
５Ａ    玉貯溜タンク
５Ｂ    玉貯溜タンク
５Ｃ    玉貯溜タンク
５０ａ  開閉装置
５０ｂ  開閉装置
５０ｃ  開閉装置
６      回収樋
６Ａ    玉貯溜タンク兼用樋ユニット
６Ｂ    玉貯溜タンク兼用樋ユニット
６５Ａ  玉貯溜タンク兼用樋ユニット
６５Ｂ  玉貯溜タンク兼用樋ユニット
６９    無端ベルト式回収樋
７      回収樋
７Ａ    玉貯溜タンク兼用樋ユニット
７Ｂ    玉貯溜タンク兼用樋ユニット
７０    開閉装置
８      回収樋
８Ａ    玉貯溜タンク兼用樋ユニット
８Ｂ    玉貯溜タンク兼用樋ユニット
【図１】
2006095341.tif 000003
【図２】
2006095341.tif 000004
【図３】
2006095341.tif 000005
【図４】
2006095341.tif 000006
【図５】
2006095341.tif 000007
【図６】
2006095341.tif 000008
【図７】
2006095341.tif 000009
【図８】
2006095341.tif 000010
【図９】
2006095341.tif 000011
【図１０】
2006095341.tif 000012
【図１１】
2006095341.tif 000013
【図１２】
2006095341.tif 000014
【図１３】
2006095341.tif 000015
【図１４】
2006095341.tif 000016
【図１５】
2006095341.tif 000017
【図１６】
2006095341.tif 000018
【図１７】
2006095341.tif 000019